(57)【要約】【課題】大きさの異なる吐出口を備えた記録ヘッドを用いて記録を行なうインクジェット記録装置において、回復処理に要する時間やインク消費量を最小限にする。【解決手段】大吐出口群と小吐出口群それぞれについて個別に回復処理の実行タイミングを判断し（ＳТＥＰ２、５）、その判断に応じてそれぞれ別の予備吐出を行う（ＳТＥＰ３、６）。これにより、各大きさの吐出口に応じた必要最小限の回復処理を行うことができる。【選択図】　　　　図５
2004090292.tif 000002
【特許請求の範囲】
【請求項１】
異なる吐出量でインクを吐出する複数の吐出口を備えた記録ヘッドを用い、記録媒体にインクを吐出して記録を行なうインクジェット記録方法において、
前記異なる吐出量の吐出口ごとに記録ヘッドのメンテナンスの実行タイミングを判断し、
該判断に基づいてメンテナンスを実行する、
工程を有することを特徴とするインクジェット記録方法。
【請求項２】
前記メンテナンスは予備吐出動作であり、メンテナンスを実行するタイミングと判断された吐出量の吐出口からインクを吐出して前記予備吐出を行うことを特徴とする請求項１に記載のインクジェット記録方法。
【請求項３】
前記メンテナンスはワイピング動作であることを特徴とする請求項１または２に記載にインクジェット記録方法。
【請求項４】
前記メンテナンスは予備吐出動作であり、前記異なる吐出量の吐出口のうち、記録に用いる吐出口として相対的に吐出量が小さい吐出口が選択された場合には、当該相対的に吐出量が小さい吐出口について相対的に予備吐出回数が多い予備吐出動作を行なうことを特徴とする請求項１ないし３のいずれかに記載のインクジェット記録方法。
【請求項５】
前記メンテナンスは予備吐出動作であり、前記異なる吐出量の吐出口のうち、記録に用いる吐出口として相対的に吐出量が小さい吐出口が選択された場合には、当該相対的に吐出量が小さい吐出口について相対的に予備吐出周波数が高い予備吐出動作を行なうことを特徴とする請求項１ないし４のいずれかに記載のインクジェット記録方法。
【請求項６】
相対的に吐出量が大きい吐出口で予備吐出動作を行なう時間間隔は、相対的に吐出量が小さい吐出口で予備吐出動作を行なう時間間隔よりも長いことを特徴とする請求項４または５に記載のインクジェット記録方法。
【請求項７】
相対的に吐出量が大きい吐出口の予備吐出動作と、相対的に吐出量が小さい吐出口の予備吐出動作とは、予備吐出で吐出されるインクの総量が略同じであることを特徴とする請求項４ないし６のいずれかに記載のインクジェット記録方法。
【請求項８】
前記異なる吐出量の吐出口のうち、記録に用いる吐出口の選択を、当該記録ヘッドの走査毎に行うことを特徴とする請求項４ないし７のいずれかに記載のインクジェット記録方法。
【請求項９】
前記異なる吐出量の吐出口のうち、Ｎ（Ｎは２以上の整数）回後の走査による記録で用いる吐出口の特定をＮ走査前に行ない、当該特定に係る吐出口の予備吐出を（Ｎ−１）回後の走査以前から行なうことを特徴とする請求項４ないし７のいずれかに記載のインクジェット記録方法。
【請求項１０】
異なる吐出量でインクを吐出する複数の吐出口を備えた記録ヘッドを用い、記録媒体にインクを吐出して記録を行なうインクジェット記録方法において、
前記吐出量が異なる複数の吐出口のうち、記録で用いる吐出口を特定して記録を行なう複数の記録モードを有し、
前記複数の記録モードの中で選択された記録モードの終了後に、その記録モードで使用されなかった吐出口のメンテナンスを実行することを特徴とするインクジェット記録方法。
【請求項１１】
異なる吐出量でインクを吐出する複数の吐出口を備えた記録ヘッドを用い、記録媒体にインクを吐出して記録を行なうインクジェット記録方法において、
一の吐出量の吐出口を用いた記録の場合に、該使用している一の吐出量の吐出口のメンテナンスに比べて、使用していない他の吐出量の吐出口に対して軽減したメンテナンスを行なうことを特徴とするインクジェット記録方法。
【請求項１２】
前記異なる吐出量でインクを吐出する複数の吐出口は、吐出口の大きさが異なることによって異なる吐出量でインクを吐出することを特徴とする請求項１ないし１１のいずれかに記載のインクジェット記録方法。
【請求項１３】
異なる吐出量でインクを吐出する複数の吐出口を備えた記録ヘッドを用い、記録媒体にインクを吐出して記録を行なうインクジェット記録装置において、
前記異なる吐出量の吐出口ごとに記録ヘッドのメンテナンスの実行タイミングを判断する判断手段と、
該判断手段の判断に基づいてメンテナンスを実行する実行手段と、
を具えたことを特徴とするインクジェット記録装置。
【請求項１４】
前記メンテナンスは予備吐出動作であり、メンテナンスを実行するタイミングと判断された吐出量の吐出口からインクを吐出して前記予備吐出を行うことを特徴とする請求項１３に記載のインクジェット記録装置。
【請求項１５】
前記メンテナンスはワイピング動作であることを特徴とする請求項１３または１４に記載にインクジェット記録装置。
【請求項１６】
前記メンテナンスは予備吐出動作であり、前記異なる吐出量の吐出口のうち、記録に用いる吐出口として相対的に吐出量が小さい吐出口が選択された場合には、当該相対的に吐出量が小さい吐出口について相対的に予備吐出回数が多い予備吐出動作を行なうことを特徴とする請求項１３ないし１５のいずれかに記載のインクジェット記録装置。
【請求項１７】
前記メンテナンスは予備吐出動作であり、前記異なる吐出量の吐出口のうち、記録に用いる吐出口として相対的に吐出量が小さい吐出口が選択された場合には、当該相対的に吐出量が小さい吐出口について相対的に予備吐出周波数が高い予備吐出動作を行なうことを特徴とする請求項１３ないし１６のいずれかに記載のインクジェット記録装置。
【請求項１８】
相対的に吐出量が大きい吐出口で予備吐出動作を行なう時間間隔は、相対的に吐出量が小さい吐出口で予備吐出動作を行なう時間間隔よりも長いことを特徴とする請求項１６または１７に記載のインクジェット記録装置。
【請求項１９】
相対的に吐出量が大きい吐出口の予備吐出動作と、相対的に吐出量が小さい吐出口の予備吐出動作とは、予備吐出で吐出されるインクの総量が略同じであることを特徴とする請求項１６ないし１８のいずれかに記載のインクジェット記録装置。
【請求項２０】
前記異なる吐出量の吐出口のうち、記録に用いる吐出口の選択を、当該記録ヘッドの走査毎に行うことを特徴とする請求項１６ないし１９のいずれかに記載のインクジェット記録装置。
【請求項２１】
前記異なる吐出量の吐出口のうち、Ｎ（Ｎは２以上の整数）回後の走査による記録で用いる吐出口の特定をＮ走査前に行ない、当該特定に係る吐出口の予備吐出を（Ｎ−１）回後の走査以前から行うことを特徴とする請求項１６ないし１９のいずれかに記載のインクジェット記録装置。
【請求項２２】
異なる吐出量でインクを吐出する複数の吐出口を備えた記録ヘッドを用い、記録媒体にインクを吐出して記録を行なうインクジェット記録装置において、
前記吐出量が異なる複数の吐出口のうち、記録で用いる吐出口を特定して記録を行なう複数の記録モードを実行する手段を具え、
前記複数の記録モードの中で選択された記録モードの終了後に、その記録モードで使用されなかった吐出口のメンテナンスを実行することを特徴とするインクジェット記録装置。
【請求項２３】
異なる吐出量でインクを吐出する複数の吐出口を備えた記録ヘッドを用い、記録媒体にインクを吐出して記録を行なうインクジェット記録装置において、
一の吐出量の吐出口を用いた記録の場合に、該使用している一の吐出量の吐出口のメンテナンスに比べて、使用していない他の吐出量の吐出口に対して軽減したメンテナンスを行なうことを特徴とするインクジェット記録装置。
【請求項２４】
前記異なる吐出量でインクを吐出する複数の吐出口は、吐出口の大きさが異なることによって異なる吐出量でインクを吐出することを特徴とする請求項１３ないし２３のいずれかに記載のインクジェット記録装置。
【発明の詳細な説明】
【０００１】
【発明の属する技術分野】
本発明は、インクジェット記録方法およびインクジェット記録装置に関し、詳しくは、大きさが異なる吐出口を備えた記録ヘッド用い、それぞれ異なる体積のインクを吐出して記録を行うインクジェット記録方法およびインクジェット記録装置に関するものである。
【０００２】
【従来の技術】
従来、インクジェット記録装置は、低騒音化、ランニングコストの低コスト化、装置の小型化が容易である等の理由から、プリンタや複写機等において広く利用されている。
【０００３】
このようなインクジェット記録装置では、記録画像の階調性を向上させる一構成として、インク滴が記録媒体に着弾して形成されるドットの径を複数の大きさとして階調記録を行う構成が知られている。例えば、一つの吐出口に複数の吐出ヒータを設け、これらのヒータのうち駆動するヒータを選択することによって吐出するインク滴の体積を変化させ、それにより形成されるドットの大きさを異ならせることが記載されている。その他、吐出口そのものの大きさを異ならせることにより吐出するインク滴の体積を異ならせるものや、上記の複数のヒータを設ける代りに面積が異なるヒータをそれぞれ設けることによってインク滴の体積を異ならせるものも知られている。
【０００４】
一方、インクジェット記録装置では、吐出口など比較的微細な構造を有した記録ヘッドからインクを吐出して記録を行うものであることから、インクの粘度は吐出性能に大きな影響を及ぼす。このため、装置で用いられるインクの粘度増加を防止し、また、増粘したインクを記録ヘッドから排出するなどの目的で吐出回復処理が行われる。この回復処理（本明細書では、「メンテナンス」ともいう）としては、記録に関与しないインク吐出を装置の一定の場所において行なう予備吐出や、記録ヘッドの吐出口が設けられた面に付着したインクミストなどをブレードで拭うワイピングなどが知られている。
【０００５】
【発明が解決しようとする課題】
しかしながら、上述した、特に大きさが異なる吐出口を備えて異なる体積のインクを吐出する記録ヘッドを用いた装置における従来のメンテナンスは、メンテナンスに要する時間やメンテナンスで排出されるインク量の点で、改善すべき余地があった。
【０００６】
すなわち、吐出口の径など、大きさが異なる吐出口を備えた記録ヘッドでは、インクの増粘が吐出に及ぼす影響が吐出口の大きさによって異なり、一般には小さい吐出口ほど増粘の影響を受け易いといえる。また、記録ヘッドの吐出口面に付着するインクミストは、大きな吐出口ほど吐出量が多くなることからその量も多くなる。従って、これらの異なる大きさの吐出口に関して一律に予備吐出やワイピングを行なう場合には、過剰なメンテナンスによって、そのための時間を余分に費やしたり、無駄なインクを排出することになる場合がある。
【０００７】
なお、特開平８−１８３１８６号公報には、一つの吐出口に複数の吐出ヒータを設け、これらのヒータのうち駆動するヒータを選択することによって吐出するインク滴の体積を変化させる構成の記録へッドに対する回復処理を、大、小インク滴を吐出するそれぞれの場合に応じて異ならせる構成が記載されているが、これは、吐出量が小さいほどその吐出量による予備吐出の効果が低下する点を考慮し、より多い吐出量の予備吐出を行なうことを開示したものである。すなわち、吐出口の大きさの違いによる増粘の影響の程度やミストの量を考慮したものではない。
【０００８】
本発明は、上述した従来の問題点を解決するためになされたものであり、その目的とするところは、大きさの異なる吐出口ごとに適切なメンテナンスを行ない、それに要する時間やインク消費量を最小限にすることができるインクジェット記録方法およびインクジェット記録装置を提供することにある。
【０００９】
【課題を解決するための手段】
そのために、本発明では、異なる吐出量でインクを吐出する複数の吐出口を備えた記録ヘッドを用い、記録媒体にインクを吐出して記録を行なうインクジェット記録方法において、前記異なる吐出量の吐出口ごとに記録ヘッドのメンテナンスの実行タイミングを判断し、該判断に基づいてメンテナンスを実行する、工程を有することを特徴とする。
【００１０】
また、異なる吐出量でインクを吐出する複数の吐出口を備えた記録ヘッドを用い、記録媒体にインクを吐出して記録を行なうインクジェット記録装置において、前記異なる吐出量の吐出口ごとに記録ヘッドのメンテナンスの実行タイミングを判断する判断手段と、該判断手段の判断に基づいてメンテナンスを実行する実行手段と、を具えたことを特徴とする。
【００１１】
以上の構成によれば、異なる吐出量の吐出口ごとに記録ヘッドのメンテナンスの実行タイミングを判断し、その判断に基づいてメンテナンスを実行するので、予備吐出やワイピングなどのメンテナンスを、吐出量が異なり、従ってメンテナンスの必要度が異なる吐出量の吐出口ごとにそれぞれに応じたタイミングで実行できる。また、実行タイミングを異ならせることにより、異なる吐出量の吐出口ごとに別個にメンテナンスを実行することもでき、例えば、予備吐出の回数や周波数など、メンテナンスの程度を異なる吐出量の吐出口ごとに定めることができる。
【００１２】
【発明の実施の形態】
以下、図面を参照して本発明の実施形態を詳細に説明する。
【００１３】
（実施形態１）
図１は、本発明のインクジェット記録装置の一実施形態に係わるインクジェットプリンタの概略構成を示す斜視図である。
【００１４】
図において、記録装置１００の給紙位置に挿入された記録用紙などの記録媒体１０５は、送りローラ１０６によって矢印Ｐ方向に送られ、記録ヘッド１０４の記録可能領域へ搬送される。記録可能領域における記録媒体１０５の下部には、プラテン１０７が設けられる。キャリッジ１０１は、２つのガイド軸１０２と１０３によって、それらの軸方向に沿う方向に移動可能とされており、不図示のモータの駆動により、記録領域を含む走査領域を、主走査方向である矢印Ｑ１、Ｑ２で示す方向に沿って往復走査することができる。
【００１５】
キャリッジ１０１に着脱自在に搭載されたヘッドユニット１０４は、図３にて後述されるように、イエロー（Ｙ）、マゼンタ（Ｍ）、シアン（Ｃ）の各インクについて径の大きさが異なる２種類の吐出口を配列したそれぞれの記録ヘッドを一体に備えるとともに、上記の各記録ヘッドに供給するインクを各色インクごとに収容するインクタンクも備えるものである。このヘッドユニット１０４は、それぞれの記録ヘッドの吐出口から下方に位置する記録媒体に対してインクを吐出できる姿勢でキャリッジ１０１に搭載されている。
【００１６】
このヘッドユニット１０４の移動範囲における一方の端部には、キャップやブレードなどを備えた回復機構（不図示）が設けられている。これにより、各記録ヘッドの吐出口面をそれぞれ対応するキャップで覆うキャッピングや、このキャッピング状態で不図示のポンプにより記録ヘッドの吐出口を介してインクを吸引排出する吸引回復、さらには図５にて後述される、キャップ内へ所定量インクを吐出する予備吐出、各記録ヘッドの移動に応じてそれぞれの吐出口面をブレードで拭うワイピングといったメンテナンスを行なうことができる。
【００１７】
さらに、１０８はスイッチ部と表示部を示し、スイッチ部は本プリンタにおける電源のオン／オフの切り替えや各種記録モードの設定等に使用され、表示部は記録装置の状態を表示可能に構成されている。キャリッジ１０１の後部には６００ｄｐｉの密度でスリットを設けたリニアエンコーダ１０９が設けられている。
【００１８】
図２は、上述した本実施形態のインクジェットプリンタにおけるデータ処理および各要素制御の構成を示すブロック図である。
【００１９】
ホストコンピュータ４２０から、記録すべき文字や画像のデータが各記録ヘッドで用いる形態のデータ（吐出データ）として転送され、受信バッファ４０１に格納される。また、正しくデータが転送されているかを確認するデータやプリンタ１００の動作状態を知らせるデータなどがプリンタ１００からホストコンピュータ４２０に送信される。受信バッファ４０１に格納されたデータはＣＰＵ４０２の管理下においてメモリ部４０３に転送され、メモリ部４０３のＲＡＭに一次的に記憶される。そして、ＣＰＵ４０２は、このデータを所定のタイミングで記録ヘッドコントロール部４１０へ送る制御を行ない、記録ヘッドコントロール部４１０はこのデータに従い各色インクの記録ヘッド１０４Ａを駆動し、それぞれのインク吐出を行うことができる。
【００２０】
ＣＰＵ４０２は、また、図５以降で示される予備吐出などのメンテナンスに係わる制御等の処理を実行し、また、メモリ部４０３はその際にワークエリアとして用いられる。
【００２１】
ホストコンピュータ４２０から送られ、各色インクの記録ヘッドの駆動に用いる吐出データは、ホストコンピュータ４２０において作成される。例えば、所定のアプリケーションを介して作成された画像等のＲ、Ｇ、Ｂ合計２４ビットのデータは，それらが示す階調値に応じてルックアップテーブルによりＹ、Ｍ、Ｃの各データに変換される。本実施形態では、このデータは、Ｙ、Ｍ、Ｃにそれぞれついて６値のデータである。
【００２２】
すなわち、Ｙ、Ｍ、Ｃについて、それらの対応するインクを吐出する記録ヘッドで吐出可能な異なる体積のインク滴の組合せに対応したデータとなっている。具体的には、大口径群の吐出口から吐出される５ｐｌのインク滴（大インク滴）と小口径群の吐出口から吐出される２ｐｌのインク滴（小インク滴）の数の組合せが、（０、０）、（０、１）、（０、２）、（１、０）、（１、１）、（１、２）の６通りであり、６値データはそれぞれに対応したものとなっている。そして、本実施形態では、図４にて詳述されるように、３パスのマルチパス記録を行い、６００ｄｐｉ相当のサイズの各画素について３回の走査で記録が完成するよう、大インク滴と小インク滴とをそれぞれの走査に振り分けて記録を行う。この各走査への振り分けについても、ホストコンピュータ側で行うものであり、具体的には、所定のマスクを用いたマスク処理として行なわれる。なお、Ｙ、Ｍ、Ｃのデータの形態は、上述した６値の形態のものに限られないことはもちろんであり、図４にて後述される記録方法が可能なものであればどのような形態であってもよい。また、吐出データ生成に係わる上述した処理全部または一部を、ホストコンピュータ側でなくプリンタ側で行う形態であってもよい。
【００２３】
図２を再び参照すると、機械コントロール部４０４は、ＣＰＵ４０２からの指令に基づきキャリッジモータやラインフィードモータ等の機械部４０５を駆動制御する。本実施形態では、キャリッジモータはＤＣモータであり、通常の記録動作ではリニアエンコーダを利用してキャリッジ後部の光学センサでキャリッジの位置あるいはキャリッジの移動速度を検出し、ＤＣサーボ制御によりキャリッジの走査速度を一定に保つ制御を行なう。センサ／ＳＷコントロール部４０６は、各種センサやＳＷ（スイッチ）からなるセンサ／ＳＷ部４０７からの信号をＣＰＵ４０２に送る。また、表示素子コントロール部４０８は、ＣＰＵ４０２からの指令により、表示パネル群のＬＥＤや液晶表示素子等からなる表示部４０９を制御するよう構成されている。記録ヘッドコントロール部４１０は、上述のとおりＣＰＵ４０２の指令に基づき各色インクの記録ヘッド１０４Ａの吐出動作を制御する。また、記録ヘッドコントロール部４１０は、記録ヘッド１０４Ａの状態を示す温度情報等を検出して、それらをＣＰＵ４０２に送る。
【００２４】
図３は、ヘッドユニット１０４におけるそれぞれの記録ヘッドの吐出口列を示す模式図である。
【００２５】
本実施形態で使用するインクはシアン（Ｃ）、マゼンタ（Ｍ）およびイエロー（Ｙ）の３種類である。上述したとおり、各色インクの記録ヘッドはヘッドユニットとして一体に構成されるものである。そして、シアン、マゼンタおよびイエローの各インクについて、径の異なる２種類の吐出口が設けられ、それぞれ同じ共通液室からインクが供給されてインク吐出が行われる。それぞれの記録ヘッドの吐出口の数は、Ｃ、Ｍ、Ｙがそれぞれ２５６個である。図中のＣ、Ｍ、Ｙの記録ヘッドにおける吐出口は番号１、……、２５６で示される。これら各記録ヘッドおける吐出口配置のピッチは、主走査方向（図において左右方向）に直行する副走査方向に関して、それぞれ１２００ｄｐｉ相当のピッチである。
【００２６】
ここで、Ｃ、Ｍ、Ｙそれぞれの吐出口は２種類の大きさの吐出口群で構成される。ここでは、大口径群と小口径群と呼ぶ。図において、大口径群の各吐出口は奇数番号で示され、その断面は直径約１６ミクロンの円である。一方、小口径群の各吐出口は偶数番号で示され、その断面は直径約１１ミクロンの円である。各記録ヘッドでは、大口径群の吐出口と小口径群の吐出口は副走査方向において交互に配列するとともに、その配列が１２００ｄｐｉ相当の間隔だけずれて２列設けられる。従って、各記録ヘッドでは、主走査方向において大口径群の吐出口と小口径群の吐出口が並ぶことになる。また、Ｃ、Ｍ、Ｙの記録ヘッド間では、吐出口群の配列位置は副走査方向において同じである。そして、大口径群または小口径群のみに着目するとそれらの吐出口配置のピッチは、それぞれ６００ｄｐｉ相当のピッチである。Ｃ、Ｍ、Ｙそれぞれの大口径群からのインク吐出量は約５ｐｌで、小口径群の吐出口からのインク吐出量は約２．４ｐｌである。大口径群の各吐出口と小口径群の各吐出口にそれぞれ連通するインク路には電気熱変換素子よりなる発熱体が１つ設けられており、この発熱体が発生する熱エネルギーを利用してインクに生じる気泡の圧力によってそれぞれの吐出口からインクを吐出することができる。
【００２７】
以上のとおり、Ｙ、Ｃ、Ｍの各吐出口はそれぞれ大口径群と小口径群とに分けられるが、これらは同じ共通液室に連通してその共通液室からインクが供給される。この点から、本明細書では、「記録ヘッド」というときは、同じ共通液室からインクが供給される吐出口を備えたものの単位をいうものとする。従って、図３に示す本実施形態の例では、上述のとおり、Ｙ、Ｍ、Ｃのインクについてそれぞれ１つの記録ヘッドがあることになる。また、例えば、Ｙ、Ｍ、Ｃなど同じ色のインクを吐出する吐出口であってもそれらが別の共通液室からインクが供給される場合にはそれら吐出口は別の記録ヘッドのものということができる。
【００２８】
なお、本実施形態では、記録ヘッドとして、Ｙ、Ｃ、Ｍのインクを吐出するものについて説明したが、本発明を実施できる記録ヘッドはこのような形態に限られないことはもちろんである。例えば、上記の各インクの他、ブラック（Ｂｋ）のインクを吐出する記録ヘッドをさらに一体に備えたものであってもよい。
【００２９】
以下に、上述の各記録ヘッドを用いたマルチパス記録について説明する。なお、マルチパス記録は、記録ヘッドの走査方向のドットラインを複数回の走査で異なる吐出口から吐出されるインクによって形成する記録方式である。
【００３０】
図４は、マルチパス記録の過程を示す図である。記録媒体の記録領域Ａに対して記録ヘッドが記録ヘッドの主走査と記録媒体の紙送り（副走査）を繰り返して画像等を記録する。記録領域ＡはＣ、Ｍ、Ｙインクを用いるカラー記録領域である。図において、Ｓ１、Ｂ１、……は、図３に示した一体の各色記録ヘッドの記録領域における副走査方向に関する位置を示す。
【００３１】
本実施形態では、それぞれの位置の主走査では、大口径群あるいは小口径群のいずれかの吐出口群が選択的に使用される。
Ｓ１は、小口径群での１回目の主走査を行う位置
Ｂ１は、大口径群での１回目の主走査を行う位置
Ｓ２は、小口径群での２回目の主走査を行う位置
Ｓ３は、小口径群での３回目の主走査を行う位置
Ｂ２は、大口径群での２回目の主走査を行う位置
Ｓ４は、小口径群での４回目の主走査を行う位置
Ｓ５は、小口径群での５回目の主走査を行う位置
Ｂ３は、大口径群での３回目の主走査を行う位置
Ｓ６は、小口径群での６回目の主走査を行う位置
…を示す。
【００３２】
また、ＬＦ１、ＬＦ２、ＬＦ３、……は、上記の各主走査の間に行われる紙送りを示し、その送り量は、１２００ｄｐｉ相当のピッチを単位として、
ＬＦ１は、　６３
ＬＦ２は、　６５
ＬＦ３は、１２８
ＬＦ４は、　６３
ＬＦ５は、　６５
ＬＦ６は、１２８
ＬＦ７は、　６３
ＬＦ８は、　６５
…である。なお、上記の紙送り量のうち奇数で表される送り量の場合、３パス（３回の走査）で記録する各６００ｄｐｉ相当のサイズの画素において、Ｃ、Ｍ、Ｙ各記録ヘッドの１２００ｄｐｉ相当のピッチで配列する吐出口は異なる位置に対応づけられる。
【００３３】
以上の記録動作により、Ｃ、Ｍ、Ｙのそれぞれのインクは縦、横各１／６００インチの画素に最大で、５ｐｌの大吐出体積で１ドット、２．４ｐｌの小吐出体積で２ドットのインクを記録できる。すなわち、吐出データによっては、Ｃ、Ｍ、Ｙそれぞれのインクは各９．８ｐｌのインクを記録できる。
【００３４】
以上のとおり、本実施形態の記録動作は、Ｃ、Ｍ、Ｙそれぞれの記録ヘッド全体について、小口径群での走査２回と大口径群での走査１を周期的に繰り返す動作である。Ｓ１とＢ１とＳ２をまとめてＴ１、Ｓ３とＢ２とＳ４をまとめてＴ２、Ｓ５とＢ３とＳ６をまとめてＴ３とそれぞれするとき、Ｔ１、Ｔ２、Ｔ３、…と同じ吐出群の吐出を繰り返す動作となっている。
【００３５】
なお、各走査で記録すべきデ−タが全く無い場合には、その走査を実行しないで、次の走査を実行する。この動作により記録時間を短縮することができる。
【００３６】
図５は、本発明の第１の実施形態によるメンテナンスに係わる処理を示すフローチャートであり、詳しくは、上述したマルチパス記録の間の、記録ヘッドの一走査ごとに起動される、予備吐出に関する処理を示すものである。本実施形態の予備吐出は、以下で説明されるように、同じ大きさの吐出口ごとに所定のタイミングで行なわれ、その同じ大きさの全ての吐出口からインクを吐出するものである。
【００３７】
１頁分の記録動作がスタートすると、最初にＳＴＥＰ１で、記録ヘッドの一走査ごとに、その走査の前にその走査が小吐出口群を用いた記録動作か大吐出口群を用いた記録動作かについて判断する。これは、図４にて上述したように、走査ごとに一つの記録ヘッドで用いる吐出口群が異なり、これに応じて走査ごとに用いる吐出口群を判断し、それに応じた適切なメンテナンスを行なうものである。
【００３８】
この判断で、小吐出口群の走査であればＳＴＥＰ２へ進む。ＳＴＥＰ２では、前回の小吐出口群の予備吐出から小吐出口群について設定されている予備吐出の間隔（時間）であるТ１ｓｅｃ（本実施形態では７ｓｅｃ）を経過したか否かを判断する。経過している場合には、ＳТＥＰ３で小吐出口群の全ての吐出口から、所定の予備吐出を行なう。この小吐出口群の予備吐出は、各吐出口から１０滴のインク滴を吐出するものであり、その吐出周波数は４ｋＨｚである。この予備吐出の後、または、ＳＴＥＰ２で所定時間Т１ｓｅｃを経過していないと判断したときは、ＳＴＥＰ４で、小吐出口群を用いた記録のための走査を行なう。
【００３９】
一方、ＳＴＥＰ１で、これから行なう走査が大吐出口群を用いた走査であると判断したときは、ＳＴＥＰ５へ進み、前回の大吐出口の予備吐出動作からの所定時間Ｔ２ｓｅｃを経過しているか否かを判断する。ここではＴ２ｓｅｃは１５ｓｅｃである。経過している場合は、ＳＴＥＰ６で大吐出口群の各吐出口の予備吐出を行なう。この予備吐出は、大吐出口群の各吐出口からの吐出数は５発（５インク滴）で、吐出周波数は２ｋＨｚである。この予備吐出の後、または、ＳＴＥＰ５で所定時間Ｔ２ｓｅｃを経過していないと判断したときは、ＳＴＥＰ７へ進み、大吐出口群を用いた記録のための走査を行なう。
【００４０】
ＳＴＥＰ４またはＳＴＥＰ７における走査の後、ＳＴＥＰ８で、記録動作が１頁分の記録が終了したか否かを判断し、終了したと判断したときは本処理を終了し、１頁分の記録が終了していないときは、ＳＴＥＰ１へ戻り、上述と同様の処理を繰り返す。
【００４１】
以上説明した本実施形態の予備吐出には、吐出口群ごとのパラメータとして、予備吐出の時間間隔、予備吐出の発数、予備吐出の吐出周波数があり、それぞれ、吐出口の大きさの他、使用するインク、使用する記録ヘッドの構造で決まる設計パラメータである。本実施形態では、各パラメータは、
2004090292.tif 000003
である。
【００４２】
ここでは、小吐出口群の予備吐出実行の時間間隔は７秒で、大吐出口群の予備吐出の時間間隔は１５秒である。このように、大吐出口の吐出口ほど予備吐出の時間間隔は長く設定する。すなわち、増粘がインク吐出に与える影響は大きな吐出口ほど少ないことから、メンテナンスの必要度が低く、この点から、大吐出口ほど予備吐出の間隔を短く設定する。
【００４３】
また、小吐出口群の各吐出口の吐出量は約２．４ｐｌで、大吐出口群の各吐出口の吐出量は約５ｐｌであるので、小吐出口群の予備吐出による総吐出量は一つの吐出口あたり約２４ｐｌとなり、一方、大吐出口群の各吐出口の予備吐出による一つの吐出口当りの総吐出量は約２５ｐｌとなり、予備吐出による吐出量の総和はほぼ同じである。記録ヘッドからのインク排出を目的としているので、大小それぞれの吐出口からの総排出量をほぼ同じにすることに意味がある。
【００４４】
図６は、予備吐出に関する他の例に係わる処理を示すフローチャートである。図５に示した処理は、記録動作に関する処理の一環として行われるものとしたが、図６に示す例では、タイマーによる割込み処理として予備吐出に関する処理を行うものである。また、図５に示した処理では、走査ごとにその走査が大吐出口群を用いるものか、あるいは小吐出口群を用いるものかを判断し、その後その用いると判断した吐出口用のタイマーがカウントする経過時間に基いて予備吐出を実行するか否かを判断するものとしたが、本実施形態では、２種類の吐出口用のタイマーを常に監視し、いずれかのタイマーがそれぞれの所定時間をカウントアップすると、割込み処理によって予備吐出を実行するものである。従って、図４に示したような、各走査が大吐出口のみまたは小吐出口のみを用いる形態だけでなく、それぞれの走査で大吐出口と小吐出口の両方を用いる形態であっても、本処理を適用することができる。
【００４５】
図６に示すように、記録動作開始と同時に、記録動作の処理と並行して本処理が起動される。まず、ＳТＥＰ１０１、１０２で、大吐出口用と小吐出口用それぞれのタイマーによる計時をスタートする。それぞれのタイマーがカウントアップする所定の時間は、それぞれ大吐出口用は１５ｓｅｃ、小吐出口用は７ｓｅｃである。次に、ＳТＥＰ１０３では、タイマーがカウントアップしているか否かを判断する処理をいずれかがカウントアップするまで続ける。
【００４６】
小吐出口用のタイマーがカウントアップすると、ＳТＥＰ１０４で駆動周波数を４ｋＨｚに設定し、また、ＳТＥＰ１０５で予備吐数１０発を設定する。そして、ＳТＥＰ１０６で記録動作の処理に割込みをかけ、小吐出口の予備吐動作を行う。そして、ＳТＥＰ１０７で小吐出口用のタイマーをリセットしてカウントを再開する。なお、この割込みは、上記タイマーがカウントアップされ、かつ記録ヘッドが走査を終了したタイミングで行う。一方、ＳТＥＰ１０３で、大吐出口用のタイマーがカウントアップしたと判断したときは、ＳТＥＰ１０８で駆動周波数を２ｋＨｚに設定し、ＳТＥＰ１０９で予備吐数５発を設定し、次いで、同様に割込み処理として、ＳТＥＰ１１０で、大吐出口の予備吐動作を行うとともに、ＳТＥＰ１１１でタイマーのリセットを行う。以上の処理は、１頁分の記録終了で終了する。
【００４７】
なお、本実施形態の記録ヘッドは、前述したように、インク滴を吐出するために熱エネルギーを発生する発熱体（ヒータ）を用いるものであるが、本発明はこの方式の記録ヘッドに限定されることは無く、例えば圧電素子を使用した吐出方式の記録ヘッドなどいずれの方式の記録ヘッドを用いた場合にも適用できる。
【００４８】
以上説明した本実施形態によれば、大吐出口群のメンテナンスと小吐出口群のメンテナンスとを区別してそれぞれ適切に行なうことにより、記録ヘッドのメンテナンス時間を最小限にし、結果として、全体的な記録時間の高速化に寄与することができる。また、記録ヘッドのメンテナンスで消費するインクの量を最小限にして、ランニングコストを低減することもできる。
【００４９】
（実施形態２）
本実施形態は、大口径群の予備吐出の時間間隔を小口径群の予備吐出の時間間隔の整数倍とすることにより、小吐出口群の予備吐出を大吐出口群の予備吐出と同時に行ない小吐出口群の予備吐出動作を一部省略するものである。
【００５０】
図７は、本実施形態のメンテナンスにかかる処理を示すフローチャートであり、図５に示した処理と略同様の処理である。異なる点は、図７におけるＳТＥＰ２０５の判断の基準となる時間Т４、すなわち予備吐出間隔が１４ｓｅｃであり、小吐出口群の予備吐出間隔Т３（７ｓｅｃ）の２倍である点と、この判断に応じたＳТＥＰ２０６の予備吐出動作が、大吐出口群に加え小吐出口群についても実行する点である。
【００５１】
すなわち、本実施形態では、ＳТＥＰ２０５で予備吐出間隔Т４を経過していると判断すると、ＳТＥＰ２０６で大吐出口群と小吐出口群の両方（本実施形態の場合記録ヘッドの吐出口全体）について予備吐出を行なう。これにより、小吐出口群の予備吐出の２回に１回は大吐出口群の予備吐出と同時に行われ、その間に１回の小吐出口群の予備吐出が行われることになる。
【００５２】
このように、大、小吐出口群の予備吐出を同時に行なうことにより、それぞれを個別に行うよりも時間の効率化を図ることができ、全体的な記録時間を短縮することができる。すなわち、予備吐出動作では、記録ヘッドを、記録動作を行なう走査領域から、その領域外のインクコレクタ部もしくはキャッピング部に移動させ、また、予備吐出そのものの吐出動作を行うことから、そのための時間を必要とするが、小吐出口群の予備吐出の２回に１回は大吐出口群の予備吐出と同時に行うことによって、その分時間を省略することができる。この条件は、大口径群の予備吐出の時間間隔が、小口径群の予備吐出の時間間隔の整数倍（本実施形態では２倍）であることであり、あえて、大口径の予備吐出の時間間隔を、ここでは１４ｓｅｃにすることにより、大吐出口群の走査に対する予備吐動作の実行頻度はやや上がるものの、大と小が混在した場合の全体的な予備吐動作の実行頻度を少なくすることができる。
【００５３】
（実施形態３）
上記の各実施形態では、記録ヘッドのメンテナンス処理として予備吐出について説明したが、本発明が適用されるメンテナンスはこれに限定されるものではない。本実施形態は、ワイピングに関するものである。ワイピングは、前述したように、記録ヘッドの吐出口が設けられた面を、例えば板状のゴム部材であるブレードで擦り、その面に付着したインクミストやゴミ等を除去する動作である。このワイピングは、一つの記録へッドに対してその吐出口面を板状のブレードで拭く動作であることから、大、小吐出口群に対して同時に行なわれる動作である。
【００５４】
ワイピングを実行する際の制御パラメ−タは、ワイピング動作の間隔、吐出口からのインク吐出数などであり、それぞれ吐出口の大きさや使用するインク、使用する記録ヘッドの構造で決まる設計パラメ−タである。
【００５５】
ここで、ワイピング動作の間隔とは、前回行ったワイピング動作から、記録動作をどれだけの時間行ったかを計測した時間間隔である。この時間を経過すると記録ヘッドの吐出口面には吐出に影響を及ぼすような量のインクミストなどが付着したと判断し、ワイピングを行なう。また、吐出口からのインク吐出数とは、吐出したインク滴の総和をカウントし、このカウント値が所定の閾値を超えると、記録ヘッドの吐出口面に同様に多くのミストなどが付着したと判断し、ワイピングを行なう。
【００５６】
インク吐出数に関して、同じ吐出回数の記録を行なっても、大吐出口群からのインク吐出によって吐出口面に付着するインクミストの量と、小吐出口群からのインク吐出によって吐出口面に付着するインクミストの量には差があり、一般には小吐出口群の方が多い。従って、本実施形態では、例えば、インク吐出数の所定の閾値を、
2004090292.tif 000004
と設定する。
【００５７】
そして、カウンタで大、小吐出口群ごとにカウントするインク吐出数がそれぞれの閾値を超えたと判断したときは、ワイピングを行なう。なお、この判断は、例えば、上記の予備吐出の場合と同様、走査ごとに行なうことができる。
【００５８】
図８は、本実施形態のワイピング処理の手順を示すフローチャートである。大吐出口用と小吐出口用について個別のカウンタを用いて１走査ごとにそれぞれの吐出口群から吐出したインクドットの数をカウントし、上記閾値のドット数（吐出数）の吐出を行うと、ワイピング動作をする処理である。
【００５９】
図に示すように、電源ＯＮで本処理が起動され、まず大吐出口用と小吐出口用それぞれのカウンタに上記閾値の値をセットする（ＳТＥＰ３０１、３０２）。そして、記録ヘッドの１走査ごとに、大吐出口用と小吐出口用それぞれの１主走査に吐出したインクドットの数をカウントし、そのカウント値を対応するカウンタの値から減算し（ＳТＥＰ３０３）、いずれかのカウンタの値が０になったか否かを判断する（ＳТＥＰ３０４）。
【００６０】
大、小吐出口用のいずれかのカウンタが０になったと判断すると、ワイピング動作する（ＳТＥＰ３０５）。このワイピングは、上述したように、大、小吐出口群に対して一体に行われるものである。その後、大吐出口用と小吐出口用のそれぞれのカウンタをリセットする。
【００６１】
このように、大、小吐出口ごとに吐出数に関する閾を設定してワイピングを制御することにより、ワイピング動作自体は大、小吐出口群に対して同時に行なわれる動作であるが、大、小吐出口について一律に（同一の閾値を判断基準として）ワイピングを実行する場合と比較して、不要なワイピング動作をより少なくすることができる。例えば、同一の判断基準でワイピングを実行する場合、より条件が厳しい小吐出口の基準でワイピングが実行されることになるが、記録すべきデータなどの条件によって小吐出口を用いることが少ない場合には、多くの不要なワイピングが行なわれることになる。これに対し、本実施形態の場合、大、小吐出口別に吐出口数をカウントするとともに、その閾値も個別とすることによって、上記のように小吐出口を用いる機会が少ないときは、それに応じてワイピングの機会も少なくなり、不要なワイピング動作を少なくすることができる。
【００６２】
なお、このワイピングによるメンテナンスについても、図４に示した、各走査が大吐出口のみまたは小吐出口のみを用いる形態だけでなく、それぞれの走査で大吐出口と小吐出口の両方を用いる形態であっても、本処理を適用することができることはもちろんである。
【００６３】
別の形態として、予め定めたワイピングの間隔を上記インク吐出数の域値とを併用しても良い。この場合、これら２種類の判断条件のいずれかによりワイピングを実行すると、両者のカウンタをリセットし、２条件のいずれか早く満足した条件でワイピングを実行する制御とすることができる。例えば、間隔および閾値は、
2004090292.tif 000005
と設定する。
【００６４】
以上のとおり、小吐出口群と大吐出口群について個別にワイピングの実行条件を定めることにより、不要なワイピング動作を減らすことができる。
【００６５】
（実施形態４）
上記の各実施形態では、大吐出口の使用と小吐出口の使用を１頁内の各走査単位で判断して処理する例について説明したが、本発明の適用は、これに限定されるものではない。
【００６６】
例えば、頁単位で、大吐出口と小吐出口の使用状況がわかっている場合で、大吐出口のみを使用した記録時には、大吐出口に適したメンテナンス動作のみを行なうことで、他の吐出口群のメンテナンス動作を省略することが可能となる。このように、複数種類の大きさのインク吐出口群のうち、頁単位で特定の吐出口群しか使用しないことがわかっている場合には、その吐出口群に最適なメンテナンス動作を行えばよい。
【００６７】
また、頁内で、大吐出口と小吐出口を混在して用いる場合は、例えば上記実施形態１のメンテナンス動作、一方、頁内で大吐出口のみを用いる場合には大吐出口用メンテナンス動作を行う。このように、頁単位での判断が可能な構成として、頁単位でメンテナンス動作を変化させても良い。
【００６８】
さらに、頁単位で、特定の吐出口群のみを使用する記録モ−ドを有し、選択的に記録モ−ドを切り替える構成において、選択された記録モ−ドの終了時に、比較的長い時間吐出動作させなかった、その記録モ−ドで使用しない吐出口群からインクを吐出させることにより、その吐出口群のメンテナンス動作をすることができる。
【００６９】
（実施形態５）
実施形態１などでは、それぞれの走査の前に判断およびそれに応じた予備吐出を実行する例を示した。しかしながら、例えば、１頁内で、ほとんどを大吐出口のみを用いて記録し、一部小吐出口を用いる場合には、その記録のときに、小吐出口が吐出不良となる場合もありえる。そこで、予め、次のＮ走査のデ−タを調べ、小吐出口を用いる査の直前だけでなく、数走査前から、小吐出口のメンテナンス動作を行なうよにしてもよい。
【００７０】
または、大吐出口のみを用いた記録時に、大吐出口の予備吐出に加え、小吐出口についても予備吐出を行なってもよい。この際、小吐出口の予備吐出の発数は通常の小吐出口の予備吐出の発数より少なくすることにより、記録に使用しないムダなインクの使用を最小限にできる。これは、記録に使用しない吐出口は適度に予備吐出することで、吐出口付近に滞っているインクを排出しすることに意味があるからである。使用しない吐出口からは、序々にインクの揮発性成分が蒸発し、インク濃度が濃くなる特性がある。そこで、記録には使用しないが、濃いインクを排出することで、吐出口付近でのインクの固着を防止することができる。あるいは、次に記録に使用する時に濃いインクによる記録濃度バランスの悪化を防止するものである。
【００７１】
（実施形態６）
用いる吐出口が大吐出口と小吐出口で切り替わった時に、これから使用する吐出口について予備吐出を行う。あるいは予備吐出を多く行う。頁単位、あるいは１頁の特定部分で大、小吐出口のいずれか（例えば大吐出口）のみを使用して、記録を行ない、その後、他（例えば小吐出口）の吐出口を使用する時に、その吐出口の予備吐出を行なうことで、次の記録を不具合なく実行することができる。
【００７２】
すなわち、特定の吐出口群の使用から、切換えて他の吐出口群を使用する時に、その直前にこれから使用する吐出口群を効率良くメンテナンスできる。ここで、例えば、特定頁では小吐出口群のみを使用し、次の頁では、大吐出口群と小吐出口群の両方を使用する場合でも、同様で、この場合は大吐出口群の予備吐出を行うか、あるいは、多く行なう。
【００７３】
これらの処理を行うために、頁単位の処理では次頁の記録モ−ドを知る手段あるいは次頁の中に大、小の吐出口群を使用するかどうかを判断する手段が必要である。また、走査単位での判断では、次走査の記録モードを知る手段あるいは次走査の中に大や小の吐出口群を使用するかどうかを判断する手段が必要である。
【００７４】
（他の実施形態）
上述した各実施形態では、吐出口の大きさが異なることによって吐出されるインク滴の体積が異なる例について説明したが、本発明の適用はこの形態に限定されるものではない。吐出口の大きさが同じであっても、例えば、インクに熱エネルギーを付与するヒータの数もしくは大きさを異ならせることにより吐出インク滴の体積を異ならせることもでき、また、ピエゾ素子に印加する電圧などを異ならせることによって吐出インク滴の体積を異ならせることもでき、本発明はこのような形態にも適用することができる。
【００７５】
【発明の効果】
以上説明したように本発明によれば、異なる吐出量の吐出口ごとに記録ヘッドのメンテナンスの実行タイミングを判断し、その判断に基づいてメンテナンスを実行するので、予備吐出やワイピングなどのメンテナンスを、吐出量が異なり、従ってメンテナンスの必要度が異なる吐出量の吐出口ごとにそれぞれに応じたタイミングで実行できる。また、実行タイミングを異ならせることにより、異なる吐出量の吐出口ごとに別個にメンテナンスを実行することもでき、例えば、予備吐出の回数や周波数など、メンテナンスの程度を異なる吐出量の吐出口ごとに定めることができる。
【００７６】
この結果、大きさの異なる吐出口ごとに適切なメンテナンスを行ない、それに要する時間やインク消費量を最小限にすることが可能となる
【図面の簡単な説明】
【図１】本発明のインクジェット記録装置の一実施形態に係わるインクジェットプリンタの概略構成を示す斜視図である。
【図２】上記の実施形態のインクジェットプリンタにおけるデータ処理および各要素制御の構成を示すブロック図である。
【図３】図１に示すヘッドユニット１０４におけるそれぞれの記録ヘッドの吐出口列を示す模式図である。
【図４】本発明の一実施形態に係わるマルチパス記録の過程を示す図である。
【図５】本発明の第１の実施形態によるメンテナンスに係わる処理を示すフローチャートである。
【図６】第１の実施形態の予備吐出に関する他の例に係わる処理を示すフローチャートである。
【図７】本発明の第２の実施形態のメンテナンスにかかる処理を示すフローチャートである。
【図８】本発明の第３の実施形態のワイピング処理の手順を示すフローチャートである。
【符号の説明】
１００　　記録装置
１０１　　キャリッジ
１０２　　ガイド軸ａ
１０３　　ガイド軸ｂ
１０４　　ヘッドユニット
１０４Ａ　記録ヘッド
１０５　　記録媒体
１０６　　送りローラ
１０７　　プラテン
１０８　　スイッチ部と表示部
４０１　　受信バッファ
４０２　　ＣＰＵ
４０３　　メモリ部
４０４　　機械コントロール部
４０５　　機械部
４０６　　センサ／ＳＷコントロール部
４０７　　センサ／ＳＷ部
４０８　　表示素子コントロール部
４０９　　表示素子部
４１０　　記録ヘッドコントロール部
４２０　　ホストコンピュータ
【図１】
2004090292.tif 000006
【図２】
2004090292.tif 000007
【図３】
2004090292.tif 000008
【図４】
2004090292.tif 000009
【図５】
2004090292.tif 000010
【図６】
2004090292.tif 000011
【図７】
2004090292.tif 000012
【図８】
2004090292.tif 000013